【手続補正書】
【提出日】平成15年11月18日(2003.11.18)
【手続補正１】
【補正対象書類名】明細書
【補正対象項目名】発明の名称
【補正方法】変更
【補正の内容】
【発明の名称】データ通信装置及び制御方法


【手続補正２】
【補正対象書類名】明細書
【補正対象項目名】特許請求の範囲
【補正方法】変更
【補正の内容】
【特許請求の範囲】
【請求項１】
ノードの種類を問い合わせるためのパケットを生成するパケット生成手段と、
バスをリセットする処理が終了した後、前記バスに接続された複数のノードのそれぞれに対して前記パケットを送信する送信手段とを有し、
前記複数のノードのそれぞれに付与されたＩＤ値の大きい順に前記パケットを送信し、前記複数のノードのそれぞれに付与されたＩＤ値とそれらのノードの種類との対応関係をメモリに格納することを特徴とするデータ通信装置。
【請求項２】
最大のＩＤ値が付与されたノードから前記最大のＩＤ値を取得し、取得したＩＤ値を用いて前記複数のノードのそれぞれに付与されたＩＤ値を決定することを特徴とする請求項１に記載のデータ通信装置。
【請求項３】
前記バスは、ＩＥＥＥ１３９４−１９９５に準拠したシリアルバスであることを特徴とする請求項１又は２に記載のデータ通信装置。
【請求項４】
ノードの種類を問い合わせるためのパケットを生成するパケット生成手段と、
バスをリセットする処理が終了した後、前記バスに接続された複数のノードのそれぞれに対して前記パケットを送信する送信手段とを有するデータ通信装置の制御方法であって、
前記複数のノードのそれぞれに付与されたＩＤ値の大きい順に前記パケットを送信する処理と、前記複数のノードのそれぞれに付与されたＩＤ値とそれらのノードの種類との対応関係をメモリに格納するように制御する処理とを制御することを特徴とする制御方法。
【請求項５】
最大のＩＤ値が付与されたノードから前記最大のＩＤ値を取得し、取得したＩＤ値を用いて前記複数のノードのそれぞれに付与されたＩＤ値を決定する処理を制御することを特徴とする請求項４に記載の制御方法。
【請求項６】
前記バスは、ＩＥＥＥ１３９４−１９９５に準拠したシリアルバスであることを特徴とする請求項４又は５に記載の制御方法。
【請求項７】
ノードの種類を問い合わせるためのパケットを生成するパケット生成手段と、
バスをリセットする処理が終了した後、前記バスに接続された複数のノードのそれぞれに対して前記パケットを送信する送信手段とを有し、
前記複数のノードのそれぞれに付与されたＩＤ値の小さい順に前記パケットを送信し、前記複数のノードのそれぞれに付与されたＩＤ値とそれらのノードの種類との対応関係をメモリに格納することを特徴とするデータ通信装置。
【請求項８】
最大のＩＤ値が付与されたノードから前記最大のＩＤ値を取得し、取得したＩＤ値を用いて前記複数のノードのそれぞれに付与されたＩＤ値を決定することを特徴とする請求項７に記載のデータ通信装置。
【請求項９】
前記バスは、ＩＥＥＥ１３９４−１９９５に準拠したシリアルバスであることを特徴とする請求項７又は８に記載のデータ通信装置。
【請求項１０】
ノードの種類を問い合わせるためのパケットを生成するパケット生成手段と、
バスをリセットする処理が終了した後、前記バスに接続された複数のノードのそれぞれに対して前記パケットを送信する送信手段とを有するデータ通信装置の制御方法であって、
前記複数のノードのそれぞれに付与されたＩＤ値の小さい順に前記パケットを送信する処理と、前記複数のノードのそれぞれに付与されたＩＤ値とそれらのノードの種類との対応関係をメモリに格納する処理とを制御することを特徴とする制御方法。
【請求項１１】
最大のＩＤ値が付与されたノードから前記最大のＩＤ値を取得し、取得したＩＤ値を用いて前記複数のノードのそれぞれに付与されたＩＤ値を決定する処理を制御することを特徴とする請求項１０に記載の制御方法。
【請求項１２】
前記バスは、ＩＥＥＥ１３９４−１９９５に準拠したシリアルバスであることを特徴とする請求項１０又は１１に記載の制御方法。
【手続補正３】
【補正対象書類名】明細書
【補正対象項目名】０００１
【補正方法】変更
【補正の内容】
【０００１】
【発明の属する技術分野】
本発明は、ＩＥＥＥ１３９４−１９９５に準拠したシリアルバス等のバスに接続されるデータ通信装置及びその制御方法に関する。


【手続補正４】
【補正対象書類名】明細書
【補正対象項目名】００１０
【補正方法】変更
【補正の内容】
【００１０】
そこで、本発明は、複数のノードのそれぞれに付与されたＩＤ値とそのノードの種類とを対応付けることができるデータ通信装置及び制御方法を提供することを目的とする。


【手続補正５】
【補正対象書類名】明細書
【補正対象項目名】００１１
【補正方法】変更
【補正の内容】
【００１１】
【課題を解決するための手段】
本発明のデータ通信装置の一つは、ノードの種類を問い合わせるためのパケットを生成するパケット生成手段と、バスをリセットする処理が終了した後、前記バスに接続された複数のノードのそれぞれに対して前記パケットを送信する送信手段とを有し、前記複数のノードのそれぞれに付与されたＩＤ値の大きい順に前記パケットを送信し、前記複数のノードのそれぞれに付与されたＩＤ値とそれらのノードの種類との対応関係をメモリに格納することを特徴とする。


【手続補正６】
【補正対象書類名】明細書
【補正対象項目名】００１２
【補正方法】変更
【補正の内容】
【００１２】
本発明の制御方法の一つは、ノードの種類を問い合わせるためのパケットを生成するパケット生成手段と、バスをリセットする処理が終了した後、前記バスに接続された複数のノードのそれぞれに対して前記パケットを送信する送信手段とを有するデータ通信装置の制御方法であって、前記複数のノードのそれぞれに付与されたＩＤ値の大きい順に前記パケットを送信する処理と、前記複数のノードのそれぞれに付与されたＩＤ値とそれらのノードの種類との対応関係をメモリに格納するように制御する処理とを制御することを特徴とする。


【手続補正７】
【補正対象書類名】明細書
【補正対象項目名】００１３
【補正方法】変更
【補正の内容】
【００１３】
本発明のデータ通信装置の一つは、ノードの種類を問い合わせるためのパケットを生成するパケット生成手段と、バスをリセットする処理が終了した後、前記バスに接続された複数のノードのそれぞれに対して前記パケットを送信する送信手段とを有し、前記複数のノードのそれぞれに付与されたＩＤ値の小さい順に前記パケットを送信し、前記複数のノードのそれぞれに付与されたＩＤ値とそれらのノードの種類との対応関係をメモリに格納することを特徴とする。


【手続補正８】
【補正対象書類名】明細書
【補正対象項目名】００１４
【補正方法】変更
【補正の内容】
【００１４】
本発明の制御方法の一つは、ノードの種類を問い合わせるためのパケットを生成するパケット生成手段と、バスをリセットする処理が終了した後、前記バスに接続された複数のノードのそれぞれに対して前記パケットを送信する送信手段とを有するデータ通信装置の制御方法であって、前記複数のノードのそれぞれに付与されたＩＤ値の小さい順に前記パケットを送信する処理と、前記複数のノードのそれぞれに付与されたＩＤ値とそれらのノードの種類との対応関係をメモリに格納する処理とを制御することを特徴とする。


【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００５７
【補正方法】変更
【補正の内容】
【００５７】
【発明の効果】
本発明のデータ通信装置及び制御方法によれば、複数のノードのそれぞれに付与されたＩＤ値とそれらのノードの種類とを対応付けることができる。


【手続補正１６】
【補正対象書類名】図面
【補正対象項目名】図１
【補正方法】変更
【補正の内容】
【図１】
1998173688.tif 000001
【手続補正１７】
【補正対象書類名】図面
【補正対象項目名】図３
【補正方法】変更
【補正の内容】
【図３】
1998173688.tif 000002